(57)【要約】      （修正有）【課題】ペットボトルのキャップに被せて、マスコットやキーホルダーなどの物販商品や販売促進用の景品や個人名を記したネームプレートなどのグッズを、容易に取付、取外しできるキャップカバーを提供する。【解決手段】ペットボトルのキャップに取り付けるキャップカバーは、軟質素材で構成され、上面が閉栓された円筒状の円形キャップカバーの上面の中央に、長方形の切り欠き孔を設け、該キャップカバーの内部の隅周部には段状のリブが形成されている。【選択図】図１
0003203635.tif 000002
【実用新案登録請求の範囲】
【請求項１】
軟質素材で構成され、上面が閉栓された円筒状の円形キャップカバーの上面の中央に、長方形の切り欠き孔を設け、該キャップカバーの内部の隅周部には段状のリブが設けられていることを特徴とするペットボトルのキャップに取り付けるキャップカバー。
【請求項２】
軟質素材が非フタル酸系塩化ビニールであることを特徴とする請求項１に記載のペットボトルのキャップに取り付けるキャップカバー。
【請求項３】
円筒状の円形キャップカバーの内周面には立筋状のローレットが施されていることを特徴とする請求項１に記載のペットボトルのキャップに取り付けるキャップカバー。
【考案の詳細な説明】
【技術分野】
【０００１】
本考案は、マスコットやキーホルダーなどの物販商品や販売促進用の景品並びに個人名を記したネームプレートなどのグッズをペットボトルのキャップに着脱自在に取り付けることを可能としたグッズスタンドの機能を有したキャップカバーに関する。
【背景技術】
【０００２】
茶、コーヒー、ジュースなど多種多様な清涼飲料がペットボトルに充填されて広く一般的に販売されている。
そのペットボトル飲料の販売に当たって販売促進手段の一環として飲料用ペットボトルキャップにマスコットを被せて、該マスコットを着脱できる手段が提案されている。（特許文献１）
【０００３】
また、多くのペットボトルの形状には個性がないため、例えば飲みかけの複数人の飲料が冷蔵庫で混在すると誰のものかがわからなくなり、他人が口にした飲料を口にしてしまうという問題を防ぐために、キャップの頂部に識別用のマスコットを取り付ける手段が提供されている。（特許文献２）
【先行技術文献】
【特許文献】
【０００４】
【特許文献１】実登３０８６１０３号公報
【特許文献２】実登３０５７０８２号公報
【考案の概要】
【考案が解決しようとする課題】
【０００５】
しかしながら、前記特許文献１、２に記載されたいずれの考案も、マスコットが形成されたキャップカバーをペットボトルに閉栓されているキャップに被せて取り付ける構成のものであって、キャップカバーとマスコットとは一体に成形しなければならず、製作コストがかかるといった問題があった。また、マスコット単体が欲しくてもキャップカバーが一体となっているのでマスコット自体の体裁が良くないものになってしまった。
【０００６】
そこで、本考案は、マスコットやキーホルダーなどの物販商品や販売促進用の景品や個人名を記したネームプレートなどのグッズを、ペットボトルに閉栓されているキャップに被せた本考案に係るキャップカバーを介して、容易に取付、取外しできるようにしたので、需要者はペットボトルの飲料を購入した後、装着されているグッズを簡単につまみ取ることができる。
【課題を解決するための手段】
【０００７】
本考案に係るペットボトルのキャップに取り付けるキャップカバーは、上記に鑑み提案されたものであって、軟質素材で構成され、上面が閉栓された円筒状の円形キャップカバーの上面の中央に、長方形の切り欠き孔を設け、該キャップカバーの内部の隅周部には段状のリブが形成されていることを特徴とする。
【０００８】
また、前記軟質素材が非フタル酸系塩化ビニールにすることを特徴としている。
【０００９】
また、円筒状の円形キャップカバーの内周面には立筋状のローレットが施されていることを特徴としている。
【考案の効果】
【００１０】
本考案のキャップカバーは、ペットボトルの開口を閉栓している既存のキャップに被せることによって、キャップカバーの上面に設けられた長方形の切り欠き孔を介して、マスコットやキーホルダー、ネームプレートなどのグッズに予め形成された嵌合用突起を嵌め込むことが可能になり、グッズスタンドとしての機能を有し、グッズの嵌合用突起を長方形の切り欠き孔に嵌め込むことによって簡単容易にグッズをペットボトルの頂部に取り付けることができる。
【００１１】
キャップカバーの厚みは６ｍｍ程度と薄く嵩張らないので、工場出荷の時点で未開栓のペットボトル飲料のキャップに本考案のキャップカバーの装着も可能となる。
したがって、キャップカバーを装着したペットボトルの搬送に関しても従来通りの流通過程に乗じて行うことが可能となる。
【００１２】
また、キャップカバーは非フタル酸系塩化ビニールのような軟質素材を用いているのでグッズに設けられた嵌合用突起とキャップカバーとはそれほど強くない圧接力で嵌合しており、マスコットやキャラクターグッズが子供向け販売促進の景品として提供された場合にあっても、景品の取外し（抜き取り）が子供の力でも容易に行うことが可能となる。
【００１３】
また、長方形の切り欠き孔は空気の流通が可能となっているので、幼児が誤って誤飲し、のどに詰まらせたとしても窒息事故を起こすことはない。
【００１４】
ペットボトルに載置するグッズにネームプレートを選択し、当該ネームプレートに自分の名前を記入して、キャップカバーに取り付け冷蔵庫に保管すれば、他人が自分の飲みかけの飲料に口をつけるといった不測の事態を未然に回避できる。
【図面の簡単な説明】
【００１５】
【図１】図１は本考案に係るキャップカバーとペットボトルとグッズを取り外した状態を示す分解説明図である。
【図２】図２（ａ）は本考案のキャップカバーの平面図であり、（ｂ）は側面図、（ｃ）は底面図である。
【図３】図３は本考案の断面図である。
【図４】図４は実施例を説明するための斜視図である。
【考案を実施するための形態】
【００１６】
以下、図面を参考に実施の形態を説明する。
図１において、ペットボトル１には茶、コーヒーなどの飲料Ｄが充填され、ペットボトル１の開口はキャップ１１で閉栓されている。
【００１７】
マスコットやキーホルダー、ネームプレートなどのグッズ３には予め嵌合用突起３１が一体に形成されている。
前記グッズ３は扁平な形状をしており、したがって嵌合用突起３１の底面は長方形となっている。
【００１８】
当該嵌合用突起３１の大きさは後述するキャップカバー２の長方形の切り欠き孔２３の大きさとほぼ同じく長手方向の長さが１８ｍｍ、短手方向の長さが２．９ｍｍである。
【００１９】
キャップカバー２は、下面を開放し、上面を上面部２２ａで閉塞し円筒状筒体２２からなり、中央に切り欠き孔２３が穿設されている。
キャップカバー２の内径は前記ペットボトルのキャップ１１が密着して被せられる大きさで形成されている。
具体的には一般に販売されているペットボトルのキャップ１１の外径と同じく３０．４ｍｍである。
キャップカバー２は軟質素材である非フタル酸系塩化ビニールで構成されているので、円筒状筒体２２の弾性によってペットボトルのキャップ１１と圧接して被せることが可能となる。
また、キャップカバー２の内周面には立筋状のローレット２５が施こされているので、ペットボトルのキャップ１１に形成されているローレットと協働して、キャップカバー２がむやみに回転してしまうことをさらに防いでいる。
【００２０】
なお、キャップカバー２の内径はキャップの製造過程における型抜き条件によって若干底部に向かって拡開しているため、ペットボトルのキャップ１１の直径よりもキャップカバー２の開口端の径のほうが若干大きくなっているので、ペットボトル１のキャップ１１にキャップカバー２を被せる際に余裕をもって挿入することができる。
【００２１】
キャップカバー２の上面部２２ａの中央には、長方形の切り欠き孔２３が形成されており、当該長方形の切り欠き孔２３の中心点はキャップカバー２の中心点と一致している。
当該長方形の切り欠き孔２３の長手方向の長さは１８ｍｍ、短手方向の長さは２．９ｍｍとするのが最適である。
【００２２】
また、キャップカバー２の円筒状筒体２２の内部の隅周部には切り欠き孔２３とペットボトル１のキャップ１１の頂部との間に嵌合用突起３１が挿入するための間隙２３ａが空くようにリブ２４が設けられている。
当該リブ２４は高さ方向が３．５ｍｍで、中心方向への張り出しが３ｍｍで段状に形成され、嵌合用突起３１がキャップ１１の頂部に当接してグッズ３に形成された嵌合用突起３１を受け入れる間隙２３ａを作っている。
【００２３】
なお、グッズ３の嵌合用突起３１の短手部分が弧状に湾曲している場合には、長方形の切り欠き孔２３の短手部分を弧状に湾曲させてもよい。
【実施例】
【００２４】
ペットボトル１のキャップ１１に本考案にかかるキャップカバー２を被せた状態で、グッズ３を取り付けた状態を図４に示す。
【００２５】
キャップ１１で閉栓された、茶、コーヒーなどの飲料Ｄが充填されたペットボトル１のキャップ１１にキャップカバー２を被せると、キャップカバー２の内部に設けられた段状のリブ２４はキャップ１１の頂部に当接して、キャップ１１とキャップカバー２との間に嵌合用突起３１が挿入される間隙２３ａが画定される。
長方形の切り欠き孔２３を介してグッズ３に形成された嵌合用突起３１を圧入することのよって、嵌合用突起３１は切り欠き孔２３の側辺で支持され、グッズ３はペットボトル１のキャップ１１上に載置される。
【００２６】
グッズ３をキャップカバー２から取り外すときはグッズ３をつまんで上方に引き抜くことにより簡単にペットボトルから外すことができる。
【符号の説明】
【００２７】
１      ペットボトル
１１    キャップ
２      キャップカバー
２２    円筒状筒体
２２ａ  上面部
２３    切り欠き孔
２４    リブ
２５    ローレット
３      グッズ
３１    嵌合用突起
Ｄ      飲料
【図１】
0003203635.tif 000003
【図２】
0003203635.tif 000004
【図３】
0003203635.tif 000005
【図４】
0003203635.tif 000006